(57)【特許請求の範囲】
【請求項１】
椅子、机等の移動体の下部に固定されるカバー体と、前記カバー体に上下移動が可能に設けられる車軸と、前記車軸の両端に連結される車輪と、前記車軸とカバー体との間に車軸が弾力支持されるように介装されるスプリングを含み、本体の無負荷状態における移動の際は車輪が回転可能であるが、その本体に荷重が加わった場合には、支持面に固定されるように構成されたキャスター装置において、
前記車軸（６２）は前記カバー体（５１）内部で上下移動が可能に収容された移動ボディー（７０）によって支持され、 前記車軸（６２）が嵌合されるように移動ボディー（７０）に貫通形成された車軸孔(７１)の両側に前記カバー体（５１）の上下移動を案内するための上下に長いピンガイド孔（７２）が移動ボディー（７０）を水平に貫通して形成され、前記移動ボディー（７０）がカバー体（５１）の内部に組み込まれた状態で、 前記カバー体（５１）に形成したピン装着孔（５７）を通じてピンガイド孔（７２）を貫通するようにピン（５８）が挿入され、前記移動ボディー（７０）の上部面とカバー体（５１）の内部上部面との間に前記カバー体（５１）を常に上方へ押し上げて、 前記ピン（５８）がピンガイド孔（７２）の上部に位置するように弾発するスプリング（７５）が介装され、 前記車輪（６０）は車軸（６２）の両側にベアリング（６４）を介して連結され、移動体に作用する荷重がない時は、地面から離隔されていて、移動体に荷重が加わって前記カバー体（５１）がピンガイド孔（７２）の範囲内でスプリング（７５）を圧縮しながら下降する時は、地面に当接して固定される固定板（５４）が前記カバー体（５１）の下部に設けられていることを特徴とする移動ボディーが備えられたキャスター装置。
【請求項２】
前記車軸（６２）が嵌合されるための移動ボディー（７０）の車軸孔（７１）と、 その車軸孔（７１）に嵌合される前記車軸（６２）の中間部（６２ａ）は断面形状が四角形状に形成され、 前記車軸（６２）の両端部は円形断面であることを特徴とする請求項１記載の移動ボディーが備えられたキャスター装置。
【請求項３】
前記固定板（５４）の下端部はカバー体（５１）の下部へ突出形成されていることを特徴とする請求項１又は２のいずれかに記載の移動ボディーが備えられたキャスター装置。
【発明の詳細な説明】
【技術分野】
【０００１】
本発明は、移動ボディーが備えられたキャスター装置に関するものであって、 より詳細には椅子、 机、 家具等の脚下端に移動の便宜性のため、 装着されるキャスターの構造を改善して荷重が加わる時は車輪の転がり動作が制限されるようにするとともに、車輪と軸結合される車軸とその周りの部品間の摩耗を減らして耐摩耗性を向上させる移動ボディーが備えられたキャスター装置に関するものである。
【背景技術】
【０００２】
一般的な椅子、机、病院寝台等の移動体には、移動の便宜性を向上させるためのキャスターが設けられているが、このようなキャスターはその使用目的によって、常に回転し得る状態に形成するか、又は使用者が移動体上に座る動作等によって、垂直方向の荷重が作用する時、車輪の転がり動作が止まって椅子等の移動体が動かないようにしている。
【０００３】
例えば特許文献１に示されるように人が座っていない時は、キャスター車輪の転がり作動が自由で、椅子を所望する方向に動かすことが可能であるが、椅子の位置を定めて、一旦人が座って体重が載せられる時は、キャスター車輪が転がることなく、椅子の位置が固定される装置が開示されており、この技術が図６および図７に示されている。
【０００４】
図６に示されるキャスター装置は、上部ボディー１２に長孔１３が形成され、下部ボディー１４に車輪１１の車軸１９が嵌合するための車軸孔１５が形成されている。
【０００５】
又、上記した上部ボディー１２に形成された突出棒１６と下部ボディー１４との間にはスプリング１７が介装されることで、上記したキャスター装置が装着された椅子等の家具に荷重が掛ると、前記スプリング１７が圧縮されながら、下部ボディー１４が地面に当接すすると共に、車輪１１は地面から所定間隔離隔された状態になるように構成されている。
【０００６】
図７は、下部がコの字状に開放された開放部２３を備える支持脚２０と、中心部の両方に突出される中心車軸４２を有する車輪部４０と、前記中心車軸４２の上側表面を覆うように接触される凹部３６ｂおよび上側に突出成形された突起３６ａを有する一対の支持台３６と、前記支持部材３６の突起３６ａによって下部が固定された復元力を有する一対の弾性体Ｓと、前記弾性体Ｓの両側を支持し中心車軸４２が上下に移動されることを案内するガイド部３５が長さ方向に成形された一対の支持片３４と、前記支持片３４の一側及び底部を覆う外郭フレーム３１と、前記外郭フレーム３１の周縁に沿って支持片３４と離隔して成形されたリブ３３と、前記支持片３４とリブ３３との間に開放部２３がスライド可能に設けられていて下部には車輪４０が外部ヘ突出可能に成形された長形の車輪遊動溝３２と、底面の角部に下向突出された接触突起３７を有する支持フレーム３０とを含んで構成された学生用椅子の車輪を示す図面である。
【０００７】
前記したように構成されたキャスター装置が、学生等が座る椅子に適用される場合には、椅子を移動する時は、キャスター装置の車輪部が作動でき、椅子を押しながら移動させることができ、移動性が便利であるが、着席の際は、身体の荷重によってキャスター装置が動作されないようになり、身体がいずれ一方に傾くこと等を防ぐことができる。
【０００８】
しかしながら、図６に示したような、キャスター装置の場合には、車輪を支持する車軸が上部ボディーに設けられた長孔に直接に嵌合されることで、車軸から長孔と車軸孔に加わる摩擦力によって、構成部品が容易に摩耗される恐れがあり、図７に示されたようなキャスター装置の場合にも、車輪遊動溝に沿って、車輪の中心車軸が遊動されるように構成されることで、他の部品に比べて相対的に多くの荷重が掛ることになる中心車軸によって、車輪遊動溝が早期に摩耗される等の状態が発生するおそれがあった。
【特許文献１】韓国登録実用新案公報登録番号２０−０３３３２７６号
【発明の開示】
【発明が解決しようとする課題】
【０００９】
本発明は上記のような問題点を解決するため発明されたものであって、椅子、机、家具本体等の移動体に装着されるキャスター装置の構造を改善して、荷重が加わる時は、車輪の回転動作が制限されるようにするとともに、車輪と軸結合される車軸とその周囲部品間の摩耗を減らして耐摩耗性を向上させるようにした、移動ボディーが備えられたキャスター装置を提供することを目的とする。
【課題を解決するための手段】
【００１０】
本発明によれば、椅子、机等の移動体の下部に固定されるカバー体と、前記カバー体に上下移動が可能に設けられる車軸と、前記車軸の両端に連結される車輪と、前記車軸とカバー体との間に車軸が弾力支持されるように介装されるスプリングを含み、本体の無負荷状態における移動の際は車輪が回転可能であるが、その本体に荷重が加わった場合には、支持面に固定されるように構成されたキャスター装置において、前記車軸６２は前記カバー体５１内部で上下移動が可能に収容された移動ボディー７０によって支持され、 前記車軸６２が嵌合されるように移動ボディー７０に貫通形成された車軸孔７１の両側に前記カバー体５１の上下移動を案内するための上下に長いピンガイド孔７２が移動ボディー７０を水平に貫通して形成され、前記移動ボディー７０がカバー体５１の内部に組み込まれた状態で、 前記カバー体５１に形成したピン装着孔５７を通じてピンガイド孔７２を貫通するようにピン５８が挿入され、前記移動ボディー７０の上部面とカバー体５１の内部上部面との間に前記カバー体５１を常に上方へ押し上げて、 前記ピン５８がピンガイド孔７２の上部に位置するように弾発するスプリング７５が介装され、 前記車輪６０は車軸６２の両側にベアリング６４を介して連結され、移動体に作用する荷重がない時は、地面から離隔されていて、移動体に荷重が加わって前記カバー体５１がピンガイド孔７２の範囲内でスプリング７５を圧縮しながら下降する時は、地面に当接して固定される固定板５４が前記カバー体５１の下部に設けられている。
【００１１】
また、前記車軸６２が嵌合されるための移動ボディー７０の車軸孔７１と、 その車軸孔７１に嵌合される前記車軸６２の中間部６２ａは断面形状が四角形状に形成され、 前記車軸６２の両端部は円形断面であることが好ましい。
【００１２】
また、前記固定板５４の下端部はカバー体５１の下部へ突出形成されていることが好ましい。
【発明の効果】
【００１３】
以上のように構成された本発明によれば、車輪を支持する車軸と車輪の上下移動を案内するためのガイド手段である車輪遊動溝が直接摩擦するように形成されておらず 、車軸とは別のピンとピンガイド孔を介して上下移動を案内するようにすることで、車輪および車軸の上下移動の際、車軸と他の部材との間の摩擦による摩耗が防止されるとともに、車輪のより安定した上下移動を可能にすることができる。
【発明を実施するための最良の形態】
【００１４】
以下、添付した図面に従い、本発明を実施したキャスター装置の実施形態を詳細に説明する。
【００１５】
図１は本発明を実施したキャスター装置の正面図であり、図２は本発明を実施したキャスター装置の正断面図であり、図３は本発明を実施したキャスター装置の側断面図であり、図４はキャスター装置の分解斜視図であり、図５は本発明を実施したキャスター装置の作動状態図の説明図である。
【００１６】
図面において符号５０は本発明を実施したキャスター装置を示し、このキャスター装置５０は椅子、机、家具等の移動体１００に装着されて、移動体の移動を可能にするものである。
【００１７】
キャスター装置５０が移動体に装着されるようにするため、キャスター装置５０のカバー体５１にはサポータ５３の下端が嵌め込まれるようにサポータホール５２が形成されている。カバー体５１のサポータホール５２に下端が嵌合されたサポータ５３の上端部は本体に固定装着されている。
【００１８】
カバー体５１は前記したサポータホール５２が所定の深さで形成された本体支持部５１ａと、前記本体支持部５１ａの一側に弧形状に突出されて車輪を支持するための車輪支持部５１ｂとを有している。
【００１９】
前記したカバー体５１の下部は地面から離隔されるように構成され、荷重の作用状況によって、地面に当接されるように形成された例えば円柱形状の固定板５４が着脱可能にカバー体５１、 好ましくは、 荷重が作用する車軸線状の本体支持部５１ａ下端に取付けられている。
【００２０】
固定板５４は上部５４ａと下部５４ｂに分けられる２つの円柱形状に形成され、 その上部５４ａはカバー体５１の内部空所に収容された状態で固定結合され、 その下部５４ｂはカバー体５１の下部に突出された状態で組み立てられ、ビス５４ｃ等の固定部材で本体支持部５１ａに固着されている。
【００２１】
本体支持部５１ａの一側に弧形状に突出形成される車輪支持部５１ｂは、 その内部が車輪６０の車軸６２を支持する移動ボディー７０が収容できるように、内部を空所とした形状に形成され、移動ボディー７０の両側面に対向する両側の側壁５５には、各車輪６０の車軸６２が通過し、 又上下への移動を許容するための逆Ｕ字状の車軸移動溝５６が貫通して形成され、前記車軸移動溝５６の両側には後に説明されるピン５８が挿入されるためのピン装着孔５７が貫通形成されている。
【００２２】
他方、前記したカバー体５１の車輪支持部５１ｂに収容される移動ボディー７０の全体形状は例えば四角面体もしくは直方体をなし、その途中には前記した車輪６０の車軸６２が組み付けられるための車軸孔７１が貫通して形成されており、前記車軸孔７１の両側には各ピン５８が組み込まれた状態で移動ボディー７０の上下移動が可能にするためのピンガイド孔７２が上下に長い、長孔形状に形成されている。
【００２３】
特に、車輪６０の車軸６２が組み立てられる車軸孔７１は車軸６０が空回りすることを防止するため、その断面形状が多角形、例えば四角形状に形成されることが好ましい。
【００２４】
又、移動ボディー７０とカバー体５１との間は、前記車輪６０が地面によって支持されている状態で、前記カバー体５１を常に上部へ押し上げるように力を加えるスプリング７５が設けられていて、このスプリング７５の離脱を防止し、位置を設定するため、 移動ボディー７０とカバー体５１に各スプリング装着用突起７３、７４が突出して形成されている。
【００２５】
前記した車軸孔７１に組み込まれる車輪６０の車軸６２はその中間６１ａが前記車軸孔７１の断面形状に合わせて多角形、例えば、四角形状に形成され、前記移動ボディー７０両側に露出される車軸６２の区間は車輪６０を回転可能に装着できるように、その断面形状が円形状に形成されている。
【００２６】
車軸６２を装着した移動ボディー７０をカバー体５１に組み立てた場合に、車軸６２の両側端は車軸移動溝５６の外側に露出され、このように露出された円形断面部６２ｂには、 車輪６０が各ベアリング６４によって、 空回転できるように組み込まれている。
【００２７】
以上のように、構成されたキャスター装置の作動状態を以下に簡略に説明する。
本発明を実施したキャスター装置５０は椅子、机等の家具本体の脚に取付けられて、移動体１００の移動を容易にするか、又は移動体１００に設定された水準以上の荷重が掛る場合に、 移動体１００の移動が行われないようにすることを主目的とするので、 移動体１００に荷重が掛らない時と、荷重が掛る時とに分けて説明することにする。
【００２８】
先ず、 移動体１００に荷重が掛らない時には、 車輪６０が地面に支持された状態でスプリング７５の弾発力によって、カバー体５１と固定板５４が上昇位置にあり、これによって、ピン５８はピンガイド孔７２の上部側に位置した状態になる。
【００２９】
この状態で移動体１００に一側から水平方向に押す力が加わる場合に、車軸６２の両端に回転可能に装着された車輪６０が回転して、力が作用する方向に沿って、移動体１００が自由に移動して、椅子等の位置を所望する方向に移動させることができるものである。
【００３０】
一方、椅子等の位置が指定された後、人が座って移動体１００に荷重が掛り始めると、前記したカバー体５１はスプリング７５を圧縮しながら下降し、これによって、ピン５８もピンガイド孔７２と共に漸次下降することになる。
【００３１】
このような過程で、カバー体５１の下部に設けられた固定板５４も共に下降し、固定板５４が地面に当たって荷重を支持すると、カバー体５１の下降は止まり、固定板５４と地面との間で作用する摩擦荷重により、車輪６０は回転力を失って、人が座っている状態で椅子等の移動体が任意に動くことなどを防止することができる。
【図面の簡単な説明】
【００３２】
【図１】本発明を実施したキャスター装置の正面図。
【図２】本発明を実施したキャスター装置の正断面図。
【図３】本発明を実施したキャスター装置の側断面図。
【図４】キャスター装置の分解斜視図。
【図５】本発明を実施したキャスター装置の作動状態図。
【図６】従来の技術を説明する図面。
【図７】従来の別の技術を説明する図面。
【符号の説明】
【００３３】
５０・・・ キャスター装置
５１・・・ カバー体
５１ａ・・・本体支持部
５１ｂ・・・ 車輪支持部
５２・・・ サポータホール
５３・・・ サポータ
５４・・・固定板
５５・・・側壁
５６・・・車軸移動溝
５７・・・ピン装着孔
５８・・・ピン
６０・・・車輪
６２・・・車軸
６４・・・ベアリング
７０・・・移動ボディー
７１・・・車軸孔
７２・・・ピンガイド孔
７３、７４・・・スプリング装着用突起
【図１】
0004416757.tif 000002
【図２】
0004416757.tif 000003
【図３】
0004416757.tif 000004
【図４】
0004416757.tif 000005
【図５】
0004416757.tif 000006
【図６】
0004416757.tif 000007
【図７】
0004416757.tif 000008